(57)【特許請求の範囲】
【請求項１】
コンクリート製筒体で内部が中空で両側壁側に開口するものであり、該筒体の上面が前方に向かって下側に傾斜され海藻の育成可能な浅場となる傾斜面であり、前面が食害防止用の垂直な起立面若しくは上側が前方に傾斜する起立面であり、後面が堤体に接して設置した場合に水没する高さに形成された垂直面であり、前記傾斜面および起立面に貫通孔が設けられていること、
を特徴とする海藻類生育用ケーソン。
【請求項２】
傾斜面の後部側に水平面が形成されたこと、
を特徴とする請求項１に記載の海藻類生育用ケーソン。
【請求項３】
起立面にその下部から前方へ突出し海藻の着生床の面積を増し且つ食害を防止する突起部が形成されたこと、
を特徴とする請求項１〜２のいずれかに記載の海藻類生育用ケーソン。
【請求項４】
請求項１〜３に記載の海藻類生育用ケーソンを、ケーソンの後面を堤体に接して当該ケーソンを水没させて設置すると共に、マウンド上に固定手段で固定されてなること、
を特徴とする港湾構造物。
【発明の詳細な説明】
【０００１】
【発明の属する技術分野】
本発明は海藻類生育場の造成用ケーソンおよび港湾構造物に関するものである。
【０００２】
【従来の技術】
図２２の（１）に示すような、直立型の防波堤３６には直立壁面３７にイガイなどの付着動物類は付着するが、アラメ、カジメ、ホンダワラなどの海藻類は着生しない。また根固ブロック３８や被覆ブロック３９などの水平部は水深が深い場合が多いため、海藻類の成長に必要な光量や栄養分の摂取に必要な海水流動が不足する。一方、同図の（２）および（３）に示すような傾斜基盤４０を備えた防波堤４１は、海藻類の成長に必要な光量や栄養分の摂取に必要な海水流動が十分にあり、かつ着生床も備えている。
【０００３】
【発明が解決しようとする課題】
しかし、上記の（２）および（３）の防波堤は、所用断面幅が大きくなるためブロックや捨石などの数量が増大してコストアップになるという問題があった。また上記のような傾斜基盤を備えた防波堤は、ウニやアワビなどの海藻を食する動物の浸入を防ぐことができず、海藻が食べられてしまうという問題があった。
【０００４】
本発明は上記のような問題に鑑みてなされたものであり、その目的は、海藻類の着生床、これらの成長に必要な光量や栄養分の摂取に必要な海水流動がそれぞれ得られ、かつ海藻を食するウニやアワビなどの浸入が防げる海藻類生育場の造成用ケーソンおよび港湾構造物を提供することである。
【０００５】
【課題を解決するための手段】
以上の課題を達成するための海藻類生育用ケーソンの要旨は、コンクリート製筒体で内部が中空で両側壁側に開口するものであり、該筒体の上面が前方に向かって下側に傾斜され海藻の育成可能な浅場となる傾斜面であり、前面が食害防止用の垂直な起立面若しくは上側が前方に傾斜する起立面であり、後面が堤体に接して設置した場合に水没する高さに形成された垂直面であり、前記傾斜面および起立面に貫通孔が設けられていることである。また、前記傾斜面の後部側に水平面が形成されたことであり、更に、前記起立面にその下部から前方へ突出し海藻の着生床の面積を増し且つ食害を防止する突起部が形成されたことを含むものである。
また、本発明に係る港湾構造物の要旨は、前記本発明に係る海藻類生育用ケーソンを、ケーソンの後面を堤体に接して当該ケーソンを水没させて設置すると共に、マウンド上に固定手段で固定されてなることである。
【０００６】
本体上面の傾斜面が海藻類の着生床となる。また海藻類の成長に必要な栄養分を摂取するための海水流動や光が傾斜面により得られる。またケーソンに作用する揚圧力を貫通孔で抑制する。また凹凸の傾斜面は海藻類の着生を容易にする。また海藻を食するウニやアワビなどが傾斜面に侵入するのを起立面または傾斜した起立面により防ぐ。また傾斜面における水平面は海藻類の着生面積を大きくする。またウニやアワビなどが傾斜面に侵入するのを突起部およびその前面の傾斜により確実に防ぐ。またケーソンを新設または既設の構造体の沖合側面に設置すると、水深や波あたりの程度によって分布範囲が異なる多種多様な海藻類の着生床と、海藻類の育成に必要な栄養分を摂取するための海水流動を得ることができ、かつウニやアワビなどの侵入が防げる海藻類生育場を形成することができる。
【０００７】
【発明の実施の形態】
以下、本発明の海藻類生育用ケーソンおよび港湾構造物の実施の形態を図面に基づいて説明する。はじめに海藻類生育用ケーソン（以下単にケーソンという）の実施の形態について説明し、その後に前記ケーソンを使用した港湾構造物の実施の形態について説明する。ケーソンの実施の形態は１０あり、各実施の形態において同じ構成は同じ符号を付して説明し、異なった構成にのみ異なった符号を付して説明する。
【０００８】
図１は第１の実施の形態のケーソン１を示したものであり、このケーソン１は鉄筋コンクリートで筒状に形成され、両側壁側に開口するものであり、該筒体の上面が前方に向かって下側に傾斜され海藻の育成可能な浅場となる傾斜面２であり、前面がウニやアワビなどに対する食害防止用の垂直な起立面３であり、後面１ａが堤体に接して設置した場合に図１２（２）〜図２０に示すように水没する高さに形成された垂直面である。この傾斜面２と起立面３と底面４とには、ケーソン１に作用する揚圧力を抑制するスリット状の貫通孔５が適宜間隔ごとに設けられている。また傾斜面２はアラメ、カジメ、ホンダワラなどの海藻類の着生床になり、一方、起立面３は着生床にウニやアワビ（以下ウニなどという）が侵入しないための防護面になっている。
【０００９】
図２は第２の実施の形態のケーソン６である。このケーソン６は海藻類が着生しやすいように傾斜面２に凹凸７が形成されたものであり、これ以外がケーソン１と同じ構成である。
【００１０】
図３は第３の実施の形態のケーソン８である。このケーソン８は、ウニなどの傾斜面２への浸入を防ぐために、起立面３が上側に行くにしたがって前方側に傾斜し、これ以外がケーソン１と同じ構成である。
【００１１】
図４は第４の実施の形態のケーソン９である。このケーソン９は傾斜面２の後部側に水平面１０を設けて海藻類の着生面積を大きくしたものであり、これ以外がケーソン１と同じ構成である。よって、傾斜面２と水平面１０とが海藻類の着生床になる。
【００１２】
図５は第５の実施の形態のケーソン１１である。このケーソン１１はケーソン１の起立面３に突起部１２を設け、全体として階段状に形成したものであり、突起部上面１２ａと傾斜面２とが海藻類の着生床になるとともに、この着生床へのウニなどの浸入を突起部前面１２ｂと起立面３とにより防ぐ。また突起部前面１２ｂおよび突起部上面１２ａにはスリット状の貫通孔５が形成されている。
【００１３】
図６は第６の実施の形態のケーソン１３である。このケーソン１３はケーソン１１の傾斜面２に水平面１０を設け、該水平面１０と、突起部上面１２ａと、傾斜面２とを海藻類の着生床にしたものである。
【００１４】
図７および図８は第７および第８の実施の形態のケーソン１４、１５である。これらのケーソン１４、１５は、ケーソン１１およびケーソン１３の突起部前面１２ｂと起立面３とをケーソン８の起立面３のように傾斜させたものであり、これにより突起部上面１２ａと傾斜面２とにウニなどが浸入するのを確実に防ぐことができる。
【００１５】
図９は第９の実施の形態のケーソン１６であり、既存の防波堤の前面側に設置するために、高さがケーソン１より若干低くなっている。
【００１６】
図１０は第１０の実施の形態のケーソン１７であり、ケーソン１６の起立面３に中実の突起部１８を設けたものである。この突起部１８は、前記と同様に海藻の着生床の面積を増すとともに、ウニなどの浸入を防ぐ役目がある。
【００１７】
図１１は第１１の実施の形態のケーソン１９である。このケーソン１９はケーソン１１の上面全面を水平面１０として海藻類の着生床にしたものであり、起立面３と底面４と水平面１０とには、スリット状の貫通孔５が適宜間隔ごとに形成されている。
【００１８】
また、第３〜第１１の実施の形態のケーソン８、９、１１、１３、１４、１５、１６、１７、１９の傾斜面２、水平面１０、突起部上面１２ａとに、ケーソン６の傾斜面２のような凹凸７を形成して、海藻の着生をより一層容易にすることもできる。
【００１９】
また、上記の実施の形態のケーソン１、６、８、９、１１、１３、１４、１５、１６、１７、１９の貫通孔５はスリット状であるが、これに限らず平面円形、平面楕円形、平面長楕円形、平面方形、またはこれらの組み合わせにすることもできる。さらに、上記ケーソン１、６、８、９、１１、１３、１４、１５、１６、１７、１９のような方形に限らず、円柱または三角柱にすることもできる。
【００２０】
次に、港湾構造物の実施の形態について説明する。この実施の形態は１０あり、各実施の形態において同じ構成は同じ符号を付して説明し、異なった構成にのみ異なった符号を付して説明する。
【００２１】
図１２は第１の実施の形態の港湾構造物２０である。この港湾構造物２０は新設の防波堤であり、この防波堤は捨石のマウンド２１上に立設された直立型の堤体２２と、この前面（沖側面）に設置した第１の実施の形態のケーソン１とで構成され、これら堤体２２とケーソン１とが根固ブロック２３および被覆ブロック２４で固定されている。このように堤体２２の前面には複数のケーソン１の傾斜面２によって海藻の育成可能な浅場２５が形成され、この浅場２５が堤体２２側に向かって上昇するように傾斜しているため、水深や波あたりの程度によって分布範囲が異なる多種多様な海藻類を着生させることができるとともに、海藻類の育成に必要な栄養分を摂取するための海水流動を得ることができる。また浅場２５の前面には垂直な起立面３が形成されて、ウニなどの浸入を防いでいる。さらにケーソン１の傾斜面２、起立面３および底面４に設けたスリット状の貫通孔５は、堤体２２に作用する衝撃砕波力やケーソン１に作用する揚圧力を抑制している。
【００２２】
図１３は第２の実施の形態の港湾構造物２６である。この港湾構造物２６は、第３の実施の形態のケーソン８を堤体２２の前面に設置して浅場２５を形成した防波堤であり、傾斜した起立面３により浅場２５へのウニなどの浸入を確実に防いでいる。
【００２３】
図１４は第３の実施の形態の港湾構造物２７である。この港湾構造物２７は、第４の実施の形態のケーソン９を堤体２２の前面に設置して浅場２５を形成した防波堤であり、傾斜面２と水平面１０とを海藻の着生床にしている。
【００２４】
図１５は第４の実施の形態の港湾構造物２８である。この港湾構造物２８は、第５の実施の形態のケーソン１１を堤体２２の前面に設置して浅場２５を形成した防波堤であり、傾斜面２と突起部上面１２ａとを海藻の着生床にするとともに、突起部前面１２ｂと起立面３とを防護面にする。
【００２５】
図１６は第５の実施の形態の港湾構造物２９である。この港湾構造物２９は、第６の実施の形態のケーソン１３を堤体２２の前面に設置して浅場２５を形成した防波堤であり、傾斜面２と水平面１０と突起部上面１２ａとを海藻の着生床にするとともに、突起部前面１２ｂと起立面３とを防護面にする。
【００２６】
図１７は第６の実施の形態の港湾構造物３０である。この港湾構造物３０は、第１１の実施の形態のケーソン１９を堤体２２の前面に設置して浅場２５を形成した防波堤であり、水平面１０を海藻の着生床にするとともに、起立面３を防護面にする。
【００２７】
図１８は第７の実施の形態の港湾構造物３１である。この港湾構造物３１は既設の防波堤であり、この防波堤は捨石のマウンド２１上に立設された直立型の堤体２２と、この前面（沖側面）に設置した第９の実施の形態のケーソン１６とで構成されている。このケーソン１６は根固ブロック２３および被覆ブロック２４の上に設置されるため、高さがケーソン１より若干低くなるが、前記と同じ高さの浅場２５が形成される。
【００２８】
図１９は第８の実施の形態の港湾構造物３２である。この港湾構造物３２は、既存の防波堤の堤体２２の前面に第１０の実施の形態のケーソン１７を設置して浅場２５を形成したものであり、第４の実施の形態の港湾構造物２８と同じ効果を奏することができる。
【００２９】
図２０は第９の実施の形態の港湾構造物３３である。この港湾構造物３３は、堤体２２の前面に設置した第９の実施の形態のケーソン１６の前面にブロック３４を設置して、第７の実施の形態の港湾構造物３１と同じ構成にしたものであり、上記と同じ効果を奏することができる。
【００３０】
図２１は第１０の実施の形態の港湾構造物３５である。この港湾構造物３５は、堤体２２の前面に第１の実施の形態のケーソン１と、第９の実施の形態のケーソン１６とを交互に設置して浅場２５を形成した防波堤であり、上記と同じ効果を奏することができる。なお、このケーソン１、１６の組み合わせは、上記のものに限らず、第１〜第１１の実施のケーソン１、６、８、９、１１、１３、１４、１５、１６、１７、１９を少なくとも１種以上組み合わせて形成することもできる。
【００３１】
【発明の効果】
ケーソンの傾斜面を海藻類の着生床にすることができる。
【００３２】
傾斜面の凹凸は海藻類の着生を容易にする。
【００３３】
堤体に作用する衝撃砕波力やケーソンに作用する揚圧力をケーソンの貫通孔で抑制することができる。
【００３４】
海藻を食するウニなどが傾斜面に浸入するのを、起立面と傾斜した起立面とにより防ぐことができる。
【００３５】
傾斜面における水平面により海藻類の着生床の面積を大きくすることができる。
【００３６】
ウニなどの傾斜面への浸入を突起部およびその起立面により確実に防ぐことができる。
【００３７】
水深や波あたりの程度によって分布範囲が異なる多種多様な海藻類の着生床と、海藻類の育成に必要な栄養分を摂取するための海水流動が得られる浅場とを、新設または既設の構造体の沖合側面に形成することができる。
【００３８】
ウニなどが浸入するのを防げる浅場を形成することができる。
【００３９】
多量の捨石やブロックを使用することなく海藻類の生育場を安価に形成することができる。
【図面の簡単な説明】
【図１】   （１）は第１の実施の形態のケーソンの斜視図、（２）は同断面図である。
【図２】 （１）は第２の実施の形態のケーソンの斜視図、（２）は同断面図である。
【図３】   （１）は第３の実施の形態のケーソンの斜視図、（２）は同断面図である。
【図４】   （１）は第４の実施の形態のケーソンの斜視図、（２）は同断面図である。
【図５】   （１）は第５の実施の形態のケーソンの斜視図、（２）は同断面図である。
【図６】 （１）は第６の実施の形態のケーソンの斜視図、（２）は同断面図である。
【図７】   第７の実施の形態のケーソンの断面図である。
【図８】   第８の実施の形態のケーソンの断面図である。
【図９】   （１）は第９の実施の形態のケーソンの斜視図、（２）は同断面図である。
【図１０】 （１）は第１０の実施の形態のケーソンの斜視図、（２）は同断面図である。
【図１１】 （１）は第１１の実施の形態のケーソンの斜視図、（２）は同断面図である。
【図１２】   （１）は第１の実施の形態の港湾構造物の斜視図、（２）は同断面図である。
【図１３】   第２の実施の形態の港湾構造物の断面図である。
【図１４】   第３の実施の形態の港湾構造物の断面図である。
【図１５】   第４の実施の形態の港湾構造物の断面図である。
【図１６】   第５の実施の形態の港湾構造物の断面図である。
【図１７】   第６の実施の形態の港湾構造物の断面図である。
【図１８】   （１）は第７の実施の形態の港湾構造物の斜視図、（２）は同断面図である。
【図１９】   第８の実施の形態の港湾構造物の断面図である。
【図２０】   第９の実施の形態の港湾構造物の断面図である。
【図２１】   第１０の実施の形態の港湾構造物の断面図である。
【図２２】   （１）〜（３）は従来の港湾構造物の断面図である。
【符号の説明】
１、６、８、９、１１、１３、１４、１５、１６、１７、１９  ケーソン
１ａ  後面
２  傾斜面
３  起立面
４  底面
５  貫通孔
７  凹凸
１０  水平面
１２  突起部
１２ａ  突起部上面
１２ｂ  突起部前面
１８  中実の突起部
２０、２６、２７、２８、２９、３０、３１、３２、３３、３５  港湾構造物
２１  マウンド
２２  堤体
２３  根固ブロック
２４  被覆ブロック
２５  浅場
３４  ブロック
【図１】
0004447153.tif 000002
【図２】
0004447153.tif 000003
【図３】
0004447153.tif 000004
【図４】
0004447153.tif 000005
【図５】
0004447153.tif 000006
【図６】
0004447153.tif 000007
【図７】
0004447153.tif 000008
【図８】
0004447153.tif 000009
【図９】
0004447153.tif 000010
【図１０】
0004447153.tif 000011
【図１１】
0004447153.tif 000012
【図１２】
0004447153.tif 000013
【図１３】
0004447153.tif 000014
【図１４】
0004447153.tif 000015
【図１５】
0004447153.tif 000016
【図１６】
0004447153.tif 000017
【図１７】
0004447153.tif 000018
【図１８】
0004447153.tif 000019
【図１９】
0004447153.tif 000020
【図２０】
0004447153.tif 000021
【図２１】
0004447153.tif 000022
【図２２】
0004447153.tif 000023